(57)【要約】【課題】原稿カバーを開いたときに、原稿台上の原稿が原稿カバーと共に浮き上がらないようにする原稿読取装置を提供する。【解決手段】  原稿が載置される原稿台２１Ａと、原稿台２１Ａ上に位置する原稿の画像情報を読み取るスキャナ光学系１０と、原稿台２１Ａの一端辺に平行に配置された回転軸を中心に回動自在に設けられ、原稿台２１Ａを閉塞または開放する原稿カバーとして機能する原稿搬送装置３０と、原稿搬送装置３０の底面に配設される原稿マット５と、を原稿読取装置に設ける。このとき、原稿マット５において、マイラーシート８Ａおよび白色シート８Ｃは、全域において実質的に同一の厚みを有している。これに対し、クッションマット８Ｂは、ヒンジ１６から近いほど厚く、遠いほど薄くする。【選択図】  図７
2006113496.tif 000002
【特許請求の範囲】
【請求項１】
原稿が載置される原稿台と、
前記原稿台上に位置する原稿の画像情報を読み取る画像読取部と、
前記原稿台の一端辺に平行に配置された回転軸を中心に回動自在に設けられ、前記原稿台を閉塞または開放する原稿カバーと、
前記原稿カバーにおける前記原稿台との対向面に配設される原稿押さえ部材と、
を備え、
前記原稿押さえ部材は、前記原稿カバーが前記原稿台を閉塞する時に前記原稿カバーから前記原稿押さえ部材を介して前記原稿台に加えられる応力が、前記回転軸に直交する奥行方向において均一化するように、その厚みが前記奥行方向の位置によって異なることを特徴とする原稿読取装置。
【請求項２】
前記原稿押さえ部材は、前記奥行方向における前記回転軸に近い側が前記回転軸に遠い側より厚くなるように構成されることを特徴とする請求項１に記載の原稿読取装置。
【請求項３】
前記原稿押さえ部材は、原稿台に当接する白色シートと、前記白色シートと前記原稿カバーとの間に介在する弾性部材と、を有しており、
前記白色シートの厚みは前記奥行方向において実質的に均一であり、
前記弾性部材の厚みは前記奥行方向における前記回転軸に近い側が前記回転軸に遠い側より厚くなるように構成されることを特徴とする請求項１または２に記載の原稿読取装置。
【請求項４】
前記弾性部材は、互いに厚みが異なる複数の片を、前記奥行方向に間隙を設けて配列しつつ、厚みが均一な部材に固着して構成されることを特徴とする請求項３に記載の原稿読取装置。
【請求項５】
原稿が載置される原稿台と、
前記原稿台上に位置する原稿の画像情報を読み取る画像読取部と、
前記原稿台の一端辺に平行に配置された回転軸を中心に回動自在に設けられ、前記原稿台を閉塞または開放する原稿カバーと、
前記原稿カバーにおける前記原稿台との対向面に配設される原稿押さえ部材と、
を備え、
前記原稿押さえ部材は、原稿カバーの閉塞時に前記原稿台との接触面が前記原稿台に対して平行になるように、その厚みが前記奥行方向の位置によって異なることを特徴とする原稿読取装置。
【発明の詳細な説明】
【技術分野】
【０００１】
この発明は、原稿台上に位置する原稿の画像情報を読み取る原稿読取装置に関し、特に、原稿の湾曲や汚れ等の発生を防止するための構成を備えた原稿読取装置に関する。
【背景技術】
【０００２】
原稿の複写する際に、原稿台に自動的に原稿を搬送する自動原稿搬送装置を用いれば、作業者の作業負担を減じることができる。近年では、この自動原稿搬送装置に対する開発が進められており、自動原稿搬送装置の機能が向上している。
【０００３】
ところが、自動原稿搬送装置は、原稿トレイ、原稿搬送路、原稿搬送機構等の部品を有しており重量がある。そのため、原稿カバーに自動原稿搬送装置を搭載させると、原稿カバーの重量が増大するという不都合が生じる。原稿カバーの重量が増大すると、原稿カバーが原稿台を強く押圧するため、原稿カバーと原稿台との間に挟まれた原稿が原稿カバーに吸着することがあった。この結果、原稿カバーを開いたときに、原稿が、原稿カバーに吸着したまま、原稿カバーと共に浮き上がってしまうことがあった。
【０００４】
そこで、従来技術の中には、原稿搬送路を短くし、かつ構造の簡素化を図ることで、自動原稿搬送装置の小型化および軽量化を図った自動原稿搬送装置が存在する（例えば、特許文献１参照。）。
【特許文献１】特開平９−１０６１１６号公報
【発明の開示】
【発明が解決しようとする課題】
【０００５】
しかしながら、自動原稿搬送装置の軽量化のみでは、上述の原稿の浮き上がりを防止できないことがあった。例えば、原稿台を閉塞する場合に、原稿カバーが原稿台に対して傾斜しているときには、原稿カバーの一部が原稿台を強く押圧することになる。その結果、原稿カバーが原稿台の全域に対して均一に力を加える場合よりも、原稿が原稿カバーに吸着し易くなる。なお、原稿カバーが原稿台に対して傾斜する原因として、原稿カバーの回転軸が原稿台よりも高い位置に存在することが挙げられる。また、片持ち状に支持された原稿カバーの自由端側が自重により撓む場合にも、原稿カバーが原稿台に対して傾斜する。
【０００６】
このように、原稿が原稿カバーに吸着し、原稿カバーと共に原稿が浮き上がると、原稿が汚れたり湾曲したり破れたりするという問題がある。このため、原稿カバーと共に原稿が浮き上がらないようにすることが重要であった。
【０００７】
この発明の目的は、原稿カバーを開いたときに、原稿台上の原稿が原稿カバーと共に浮き上がらないようにする原稿読取装置を提供することである。
【課題を解決するための手段】
【０００８】
（１）  本発明に係る原稿読取装置は、
原稿が載置される原稿台と、
前記原稿台上に位置する原稿の画像情報を読み取る画像読取部と、
前記原稿台の一端辺に平行に配置された回転軸を中心に回動自在に設けられ、前記原稿台を閉塞または開放する原稿カバーと、
前記原稿カバーにおける前記原稿台との対向面に配設される原稿押さえ部材と、
を備え、
前記原稿押さえ部材は、前記原稿カバーが前記原稿台を閉塞する時に前記原稿カバーから前記原稿押さえ部材を介して前記原稿台に加えられる応力が、前記回転軸に直交する奥行方向において均一化するように、その厚みが前記奥行方向の位置によって異なることを特徴とする。
【０００９】
本発明に係る原稿読取装置は、原稿台、原稿読取部、原稿カバー、および原稿押さえ部材を備えている。原稿読取部によって原稿の画像情報を読み取るときには、原稿台を閉塞するように原稿カバーが閉じられる。このとき、原稿押さえ部材を介して原稿カバーから原稿台および原稿台上に位置する原稿に対して、押圧力が加えられる。
【００１０】
本発明では、この押圧力が奥行方向において均一化するように、原稿押さえ部材の奥行方向における厚みを設定している。原稿押さえ部材の奥行方向における厚みの設定手法の代表例として、原稿カバーが原稿押さえ部材の全域を介して原稿台に面接触するように、原稿押さえ部材の原稿台との当接面を原稿台に対して平行にすることが挙げられる。
【００１１】
このように、原稿カバーの一部が原稿台を局所的に強く押圧することを防止することで、原稿台上の原稿が原稿カバーに吸着しにくくなる。
【００１２】
（２）  （１）に記載の原稿読取装置であって、
前記原稿押さえ部材は、前記奥行方向における前記回転軸に近い側が前記回転軸に遠い側より厚くなるように構成されることを特徴とする。
【００１３】
この構成においては、奥行方向における回転軸に近い側が薄く、回転軸に遠い側が厚くなるように原稿押さえ部材の厚みが調整される。この厚みの調整は、原稿カバーにおける回転軸に遠い側がより原稿台に接近するように原稿カバーが傾斜している場合に有効である。このように原稿カバーが傾斜している場合、原稿押さえ部材の厚みを奥行方向で均一にしていると、原稿カバーにおける回転軸に遠い側が局所的に原稿台に接触し、この接触箇所を介して原稿が原稿カバーに吸着する虞がある。ところが、原稿押さえ部材の全域を介して原稿カバーが原稿台を押圧する場合、原稿カバーの一部と原稿台とが局所的に強く接触する箇所がなく、原稿が原稿カバーに吸着しにくくなる。
【００１４】
（３）  （１）または（２）に記載の原稿読取装置であって、
前記原稿押さえ部材は、原稿台に当接する白色シートと、前記白色シートと前記原稿カバーとの間に介在する弾性部材と、を有しており、
前記白色シートの厚みは前記奥行方向において実質的に均一であり、
前記弾性部材の厚みは前記奥行方向における前記回転軸に近い側が前記回転軸に遠い側より厚くなるように構成されることを特徴とする。
【００１５】
この構成においては、原稿と接する白色シートが全域で実質的に同一な厚みを有しており、白色シートと原稿カバーとの間に介在する弾性部材が奥行方向の位置によって異なる厚みを有している。奥行方向で厚みの異なる弾性部材と原稿との間に、厚みが均一な白色シートを介在させることで、弾性部材から原稿に不規則な力が加えられることが防止される。
【００１６】
（４）  （３）に記載の原稿読取装置であって、
前記弾性部材は、互いに厚みが異なる複数の片を、前記奥行方向に間隙を設けて配列しつつ、厚みが均一な部材に固着して構成されることを特徴とする。
【００１７】
この構成においては、厚みが均一な部材と、厚みが均一な部材に固着される互いに厚みが異なる複数の部材と、で構成される。互いに厚みが異なる部材の間には、予め定められた間隙が形成されており、弾性部材が変形し易くなっている。
【００１８】
（５）  本発明に係る原稿読取装置は、
原稿が載置される原稿台と、
前記原稿台上に位置する原稿の画像情報を読み取る画像読取部と、
前記原稿台の一端辺に平行に配置された回転軸を中心に回動自在に設けられ、前記原稿台を閉塞または開放する原稿カバーと、
前記原稿カバーにおける前記原稿台との対向面に配設される原稿押さえ部材と、
を備え、
前記原稿押さえ部材は、原稿カバーの閉塞時に前記原稿台との接触面が前記原稿台に対して平行になるように、その厚みが前記奥行方向の位置によって異なることを特徴とする。
【００１９】
本発明に係る原稿読取装置は、原稿台、原稿読取部、原稿カバー、および原稿押さえ部材を備えている。原稿読取部によって原稿の画像情報を読み取るときには、原稿台を閉塞するように原稿カバーが閉じられる。このとき、原稿押さえ部材における原稿台との接触面が原稿カバーに対して平行になるように、原稿押さえ部材の奥行方向における厚みを設定している。原稿押さえ部材を原稿台に対して平行に面接触させることで、原稿カバーの重みが原稿の全域に均一に伝わり、原稿の一部が原稿カバーに吸着しにくくなる。
【発明の効果】
【００２０】
（１）請求項１に係る発明によれば、原稿カバーを開いたときに原稿が原稿カバーと共に浮き上がりにくくなる。
【００２１】
（２）請求項２に係る発明によれば、原稿カバーと原稿とが局所的に強く接触することを防止でき、原稿が原稿カバーに吸着しにくくなる。
【００２２】
（３）請求項３に係る発明によれば、原稿が湾曲したり変形することを防止できる。
【００２３】
（４）請求項４に係る発明によれば、弾性部材が変形し易くなることで、原稿カバーの重みにより、原稿押さえ部材における原稿台との接触面が水平になり易く、原稿カバーから原稿の全域に対して均一に力が伝わり易くなる。
【００２４】
（５）請求項５に係る発明によれば、原稿カバーを開いたときに原稿が原稿カバーと共に浮き上がりにくくなる。
【発明を実施するための最良の形態】
【００２５】
以下、図を用いて本発明の原稿読取装置の実施形態である複写機１００を説明する。
【００２６】
図１に示すように本実施形態における複写機１００は、原稿の画像データを読み取る原稿読取部１および原稿読取部１が読み取った画像データに基づいて画像形成処理を実行する画像形成部２を備えている。
【００２７】
図２に示すように、原稿読取部１は、プラテンガラスで構成され原稿が載置される原稿台２１Ａ，２１Ｂ、原稿台２１Ａ，２１Ｂに載置された原稿の画像を読み取るスキャナ光学系１０、および原稿トレイ３１を有し原稿トレイ３１に積載された原稿を原稿台２１Ｂ上に順次搬送する原稿搬送装置３０を備えている。本実施形態では、原稿読取部１が本発明の原稿読取装置を構成する。
【００２８】
図３に示すように、スキャナ光学系１０は、原稿台２１Ａ，２１Ｂの下方に配置されており、光源ユニット１３とミラーユニット１４と結像レンズ１１と光電変換素子（以下、ＣＣＤという。）１２とを備えている。光源ユニット１３は、原稿を読み取るための照明光を発する光源１３Ａ、光源１３Ａから照射される読取用の照明光を原稿台２１上の所定の読取位置に集光する凹面のリフレクタ１３Ｂと、原稿からの反射光のみを通過させるスリット１３Ｃと、スリット１３Ｃを通過した光の光路を９０度変更するために原稿台２１の面に対して４５度傾斜した反射面を有するミラー１３Ｄを有している。
【００２９】
ミラーユニット１４は、光源ユニット１３におけるミラー１３Ｄによって反射された光をＣＣＤ１２に導くために反射面が相互に直交するように配置された一対のミラー１４Ａ，１４Ｂを有している。
【００３０】
光源ユニット１３およびミラーユニット１４は、矢印Ａに示すように原稿台２１Ａ，２１Ｂに平行な方向に往復移動自在に配置される。ここで、図３に示す光源ユニット１３の配置位置Ｐ１が走行原稿読取位置であり、配置位置Ｐ２が静止原稿読取開始位置であり、配置位置Ｐ３がＡ３サイズの原稿に対する原稿読取時の光源ユニット１３の折り返し位置である。原稿からＣＣＤ１２までの光路長を一定にするためにミラーユニット１４の移動速度は光源ユニット１３の移動速度の半分に設定される。光源ユニット１３およびミラーユニット１４の移動はステッピングモータやサーボモータ等により行われる。
【００３１】
結像レンズ１１は、原稿からの反射光をＣＣＤ１２上に結像させる。ＣＣＤ１２は、原稿からの反射光に基づいて電気信号を生成する。本実施形態では、結像レンズ１１およびＣＣＤ１２によってＣＣＤ読取ユニットが構成されている。
【００３２】
ＣＣＤ１２が生成した電気信号は画像データとして画像形成部２に供給される。画像形成部２では供給された画像データに基づいて公知の電子写真方式の画像形成処理が実行され、読み取った原稿のコピーが形成される。
【００３３】
再び図２を参照すると、原稿搬送装置３０は、原稿台２１Ａ，２１Ｂの上方に配置されており、原稿台２１Ａ，２１Ｂを選択的に開放または閉塞する原稿カバーとして機能する。原稿搬送装置３０は、原稿台２１Ａ，２１Ｂと同一平面における奥側の端部に配設されたヒンジ１６により原稿台２１Ａ，２１Ｂに対して回動自在に支持されている。
【００３４】
原稿搬送装置３０は、原稿台２１Ａ，２１Ｂとの対向位置において原稿台２１Ａ，２１Ｂを閉塞し、ヒンジ１６を回動支点として上方に回動することにより原稿台２１Ａ，２１Ｂを開放する。通常、シート状の原稿を読み取る場合には原稿台２１Ａ，２１Ｂが閉塞された状態のまま原稿搬送装置３０によって原稿が原稿台２１Ａ，２１Ｂ上に搬送される。ブック物、製本済の原稿等のように原稿搬送装置３０によって自動原稿搬送が実行できない種類の原稿の場合には、原稿搬送装置３０を上方に回動させて原稿台２１Ａ，２１Ｂを開放し、原稿台２１Ａ，２１Ｂ上に原稿が直接セットされる。
【００３５】
また、図２に示すように、原稿搬送装置３０における読取時に原稿台２１Ａ，２１Ｂに対向する原稿搬送装置３０の底面には弾力性を有する素材で形成された原稿マット５が配設される。本実施形態では、原稿搬送装置３０の底面が、本発明の「原稿カバーにおける原稿台との対向面」を構成する。すなわち、ここでは、原稿読み取り時において原稿台２１Ａ，２１Ｂに対向する面を「原稿台との対向面」としている。
【００３６】
さらに、図３に示すように、原稿搬送装置３０において、原稿トレイ３１から原稿読取位置を経由して排紙トレイ３２までの間に湾曲部を含んで上下２段構成の原稿搬送路Ｒが形成される。原稿搬送路Ｒは、Ｕの字を左に約９０度に傾けた側面視横Ｕ字形状を呈する。原稿搬送路Ｒに沿って、上流側から原稿トレイ３１に収容されている最上位の原稿をつまみ上げる呼込ローラ４１、呼込ローラ４１によってつまみ上げられた原稿を分離して原稿の二重搬送を防止する分離・搬送ローラ４２、分離・搬送ローラ４２を通過した原稿を原稿搬送路Ｒのさらに下流側に搬送する搬送ローラ４３〜４５、原稿読取位置に原稿を案内するタイミングを調整するレジストローラ４６が配設される。さらに、原稿搬送路Ｒに沿って原稿を検出するための複数の検出器が配設される。
【００３７】
原稿トレイ３１には、原稿の有無を検出する原稿検出器５１と原稿サイズを検出するための第１のサイズ検出センサ５０および第２のサイズ検出センサ５７とが配設されている。さらに、原稿搬送路Ｒに沿って上流側から、呼込ローラ４１の高さ方向の位置を検出する呼込ローラ位置検出器５２と、給紙された原稿を検出する給紙検出器５３〜５５と、が配設されている。
【００３８】
原稿搬送路Ｒを挟んで原稿台２１Ｂの反対側に、原稿台２１Ｂに対向するように、ＣＩＳ（Ｃｏｎｔａｃｔ  Ｉｍａｇｅ  Ｓｅｎｓｏｒ）１５が配設される。ＣＩＳ１５は、例えばアレイ状に配列されたイメージセンサおよび導光手段（セルフォックレンズ等のレンズアレイ）、並びに光源（ＬＥＤアレイ光源又は蛍光灯）等を備えている。
【００３９】
原稿搬送路Ｒでは、搬送ローラ４３〜４５によって原稿が下流側に搬送されるが、原稿搬送路Ｒ上を原稿が適正に搬送されているか否かは、給紙検出器５３〜５５によって検出される。原稿搬送路Ｒにおける湾曲部は、あらゆる種類の原稿を安定して搬送することができる曲率となっており、読み取り可能な原稿のうちで最も厚みのある原稿、すなわち最も腰のある原稿を円滑に搬送できる曲率になっている。
【００４０】
原稿搬送路Ｒにおいて上述の湾曲部の下流側には、原稿台２１Ａ，２１Ｂに対する傾斜角度が小さくなるように形成されたレジストレーション領域６が形成されており、このレジストレーション領域６において原稿の先端の位置合わせが実行される。
【００４１】
レジストレーション領域６は、原稿搬送路Ｒの下流側に位置する搬送ローラ４５からレジストローラ４６までの間において原稿の位置合わせおよび斜行の補正を行うための領域である。原稿搬送路Ｒにおけるレジストレーション領域６は、搬送ローラ４５とレジストローラ４６との間で原稿面の状態が略平坦となり原稿搬送路Ｒのガイド面との摩擦が小さくなるように構成されている。なお、搬送ローラ４５とレジストローラ４６との間の距離は、原稿搬送装置として処理することが可能な原稿の中で最小サイズの原稿の搬送方向の長さより大きければよい。
【００４２】
原稿搬送路Ｒにおけるレジストレーション６に近接するように原稿案内部材３が配設される。原稿案内部材３は、五角形の断面を有する板状の部材であり、少なくとも原稿搬送路Ｒの一部を構成する第１の平面３Ａと、原稿マット５の一部が固定される第２の平面３Ｂとを含んでいる。本実施形態では原稿案内部材３が多角形の断面を有する板状を呈しているが、第１の平面３Ａおよび第２の平面３Ｂを含むものであれば原稿案内部材３の形状が本実施形態における形状と異なっていてもよい。
【００４３】
原稿案内部材３は、原稿搬送方向に直交する方向に配置される回動軸４を中心に回動自在に配設されている。原稿案内部材３は、第１の平面３Ａが原稿搬送路Ｒの一部を構成する位置に配置され原稿搬送路Ｒを閉じる閉塞位置と、原稿搬送路Ｒを外部に開放する開放位置と、の間を回動する。
【００４４】
図４に示すように、原稿搬送装置３０の底面には原稿マット５が配設されている。原稿マット５は原稿搬送装置３０の底面における所定の取付領域に配設される。この取付領域は、原稿読取装置１によって読み取り可能な最大原稿サイズに応じて、原稿搬送装置３０の底面の所定位置に割り当てられる。なお、本発明において「原稿台の一端辺に平行」な方向とは図４における矢印Ｘで示す方向を意味し、「回転軸に直交する奥行方向」とは図４における矢印Ｙで示す方向をいう。
【００４５】
図５は、原稿マット５が取り外された原稿搬送装置３０の底面の構成を示しており、上述の取付領域を図５において「網かけ」によって表している。図６に示すように取付領域Ｚは、開放領域Ｚ１、非固定領域Ｚ２、および固定領域Ｚ３からなっている。本実施形態では原稿搬送装置３０の底面の長手方向に沿って開放領域Ｚ１、非固定領域Ｚ２、および固定領域Ｚ３が併設されている。
【００４６】
開放領域Ｚ１は、取付領域に配設される原稿マット５のうちの退避すべき部分が位置する領域であり、原稿搬送ジャムが生じた際に原稿搬送路Ｒの一部が開放される領域である。非固定領域Ｚ２は、開放領域Ｚ１および固定領域Ｚ３によって挟まれるように配置されており、原稿マット５が固定されない領域である。そして、固定領域Ｚ３は、原稿マット５が固定される領域である。原稿マット５は、６つの面ファスナ７Ａ〜７Ｆを介して原稿搬送装置３０の底面における取付領域Ｚに固定される。６つの面ファスナ７Ａ〜７Ｆうち面ファスナ７Ａ，７Ｂの２つが開放領域Ｚ１に配設され、残りの４つが固定領域Ｚ３に配設される。
【００４７】
このように、６つの面ファスナ７Ａ〜７Ｆを用いて、原稿マット５を６箇所で保持しているのは、原稿マット５を四隅で保持すると、原稿マット５の一部を開放領域Ｚ１から退避させたときに原稿マット５が大きく撓み、原稿マット５に深い折れ痕が形成される虞があるからである。なお、本実施形態では各面ファスナ７Ａ〜７Ｆのサイズが２０ｍｍ×２５ｍｍにされているが、各面ファスナ７Ａ〜７Ｆのサイズは任意のサイズにすることが可能である。
【００４８】
図６は、原稿マット５における原稿搬送装置３０の底面に貼り付けられる側の面の構成を示している。原稿マット５の大きさは、読み取りを行う最大のサイズの原稿をカバーできる大きさであれば良く、ここでは、原稿のサイズＡ３（２９７ｍｍ×４２０ｍｍ）、およびレジャー（１１インチ×１７インチ）をカバーできるように３１０ｍｍ×４４０ｍｍに形成されている。
【００４９】
また、原稿マット５は、取付領域における開放領域Ｚ１に貼り付けられる部分（開放部分）Ａ１、非固定領域Ｚ２に貼り付けられる部分（非固定部分）Ａ２、および固定領域Ｚ３に貼り付けられる部分（固定部分）Ａ３が原稿搬送装置３０の底面の長手方向に沿って順番に割り当てられる。本実施形態では原稿搬送方向において、開放部分Ａ１の長さが６０ｍｍ、非固定部分Ａ２の長さが１５０ｍｍ、固定部分Ａ３の長さが２３０ｍｍにされている。さらに、上述の６つの面ファスナ７Ａ〜７Ｆについて、面ファスナ７Ａの中心と面ファスナ７Ｃの中心との距離Ｄ２が２００ｍｍ、面ファスナ７Ｃの中心と面ファスナ７Ｅの中心との距離Ｄ３が１５０ｍｍ、面ファスナ７Ａの中心と面ファスナ７Ｂの中心との距離Ｄ１が２５０ｍｍに設定されている。
【００５０】
原稿マット５は、外力の作用により容易に撓む程度に薄く構成されており、原稿に接触する白色シート８Ｃ、ウレタン等の発泡材を用いたクッションマット８Ｂ、および裏張りのマイラーシート８Ａを含む多層構造である。
【００５１】
本実施形態では、白色シート８Ｃの材質はＰＥＴ（ポリエチレンテレフタレート）であり、約０．１２５ｍｍの厚さのものが使用される。クッションマット８Ｂは、原稿を全面にわたって均一に押さえることができるように約５ｍｍの厚さのスポンジ状のマットが用いられる。
【００５２】
裏張りのマイラーシート８Ａは、０．１２５ｍｍの厚さのものが使用される。マイラーシート８Ａは、平滑性を有する貼り付け面を備えている。マイラーシート８Ａは、クッションマット８Ｂに面ファスナ７Ａ〜７Ｆを直接付けた場合に貼り付け強度が弱く剥がれ易くなるとともに、剥がれたときにクッションマット８Ｂがちぎれ易いことに鑑みて設けられるものであり、クッションマット８Ｂと面ファスナ７Ａ〜７Ｆとの間における介在部材として機能する。ここでは、面ファスナ７Ａ〜７Ｆのサイズよりも大きいマイラーシート８Ａを用いることにより、原稿マット５を撓ませたときに働く力による剥がれやちぎれの発生が防止されつつ原稿マット５が支持される。
【００５３】
ただし、原稿マット５においてマイラーシート８Ａが貼り付けられているのは、開放部分Ａ１および固定部分Ａ３のみであり、非固定部分Ａ２にはマイラーシートが貼り付けられていない。これは、原稿マット５における白色シート８Ｃ、クッションマット８Ｂ、およびマイラーシート８Ａによる３層構造になる部分は曲げ強度が高くなり撓ませにくくなるからである。非固定部分Ａ２のように意図的に撓ませる部分について補強用のマイラーシート８Ａを貼り付けないことで、原稿マット５をより円滑に撓ませることができる。本実施形態のように、非固定部分Ａ２にマイラーシート８Ａを貼り付けないことで、後述するように開放領域Ｚ１から原稿マット５を退避させる際に、非固定部分Ａ２が円滑に撓む。
【００５４】
本発明では、さらに、奥行方向において原稿マット５の厚みを変化させている。図７を用いて、原稿マット５の奥行方向の厚みの変化について説明する。図７において、左右方向が奥行方向であり、右側にヒンジ１６が位置する。なお、同図では、厚みの変化を強調するために、実際よりも厚みの差を大きく表している。
【００５５】
原稿マット５において、マイラーシート８Ａおよび白色シート８Ｃは、全域において実質的に同一の厚みを有している。これに対し、クッションマット８Ｂは、ヒンジ１６から近いほど厚く、遠いほど薄くなっている。
【００５６】
クッションマット８Ｂの厚みをヒンジ１６から近いほど厚く、遠いほど薄くする例として、図７（Ａ）に示すように厚みが一定の薄板状の部分に、厚みが互いに異なる角柱形状の片を、奥行方向に並べて固着する構成が挙げられる。また、他の例として、図７（Ｂ）に示すように、厚みが一定の薄板状の部分に、奥行方向に配列された互いに厚みが異なる複数の角柱形状の片を、固着する構成が挙げられる。さらに、図７（Ｃ）に示すように、厚み一定の薄板状の部分に三角柱形状の部分を固着としてクッションマット８Ｂの厚みを変化させても良い。図７（Ａ）〜（Ｃ）のいずれの例においても、原稿マット５の厚みが奥行方向の両端で約３〜５ｍｍ程度異なるようにされている。本実施形態では、図７（Ｂ）に示す構成を採用している。
【００５７】
ここで、工場組み立て時において、原稿搬送装置３０の底面に原稿マット５を取り付ける方法の一例を説明すると、まず、原稿搬送装置３０を回動させて原稿台２１を開放し、原稿台２１上における適正な位置に原稿マット５を載置する。次に、ループ側とフック側とが組み合わされた面ファスナ７Ａ〜７Ｆの一方の面を原稿搬送装置３０の底面側に形成された貼り付け凹部に両面テープを介して貼り付ける。さらに、ループ側とフック側とが組み合わされた面ファスナ７Ａ〜７Ｆの他方の面にも両面テープを貼り付け、この両面テープの接着面を原稿マット５側に露出させた状態で原稿搬送装置３０を回動させて原稿台２１を閉じると、原稿マット５が原稿搬送装置３０の底面の所定の取付位置に取り付けられる。
【００５８】
図８は、原稿搬送装置３０の底面における開放領域Ｚ１の近傍の構成を示している。本実施形態において、上述の原稿案内部材３の第２の平面３Ｂが原稿搬送装置３０の底面における開放領域Ｚ１の一部を構成している。原稿案内部材３の長手方向の端部にはツマミ２３が配設される。また、開放領域Ｚ１においては原稿案内部材３を閉塞位置に戻す方向に付勢する捩じりコイルスプリングであるスプリング２５が配設されている。さらに、開放領域Ｚ１の近傍にはレジストローラ４６を手動で回転させるための回転ツマミ２２が配設されている。回転ツマミ２２はレジストローラ４６の回転軸に接続されている。
【００５９】
上述の構成において、ツマミ２３を指で引っ張って原稿案内部材３を開放位置に移動させると、図９に示すように原稿マット５における非固定部分Ａ２が撓む。このため、原稿マット５における固定部分Ａ３を原稿搬送装置３０の底面における固定領域Ｚ３に固定したまま、原稿マット５の一部を開放領域Ｚ１から退避させることが可能になる。
【００６０】
通常、原稿搬送路Ｒの上側で原稿搬送ジャムが生じた場合には、天蓋４８を開放することにより原稿搬送路Ｒに滞留した原稿を取り除くことができ、また、原稿搬送ジャムが生じた場合にレジストローラ４６に原稿が挟持されているときには、回転ツマミ２２を回転させることによりレジストローラ４６に挟持された原稿を原稿搬送路Ｒから取り除くことができる。
【００６１】
ところが、原稿搬送路Ｒにおけるレジストレーション領域６で原稿搬送ジャムが生じた場合には、上述のいずれの方法を用いても原稿搬送路Ｒに滞留した原稿を取り除ことが困難になる。このため、本実施形態では、上述の開放機構を用いて原稿搬送路Ｒの一部を上述の開放領域Ｚ１に開放して原稿を取り除くようにしている。
【００６２】
開放領域Ｚ１から原稿マット５が退避し、原稿搬送路Ｒの一部が開放領域Ｚ１に開放されると、原稿搬送路Ｒが外部に開放される。横Ｕ字状を呈し上下２段構成の原稿搬送路Ｒにおける下段において原稿搬送ジャムが生じた場合でも、原稿搬送路Ｒに滞留している原稿を開放領域Ｚ１から取り除くことができる。
【００６３】
図１０に示すように、ツマミ２３を用いて原稿案内部材３を回動させることにより原稿搬送路Ｒの一部が開放領域Ｚ１に開放される。また、原稿案内部材３は図７に示すスプリング２５によって開放位置から閉塞位置に戻る方向に力が加えられている。この力により、原稿搬送路Ｒに滞留している原稿の除去が完了してツマミ２３を離すと、自動的に原稿案内部材３が原稿搬送路を閉塞位置に移動して原稿搬送路Ｒを閉じる。この結果、原稿案内部材３が開放位置にある状態のままで、原稿搬送装置３０が原稿台２１を閉塞する方向に回動されることがなく、原稿台２１が傷ついたり、原稿案内部材３が破損することがない。
【００６４】
本実施形態では、付勢部材としてバネ用ステンレス鋼線やピアノ線等により形成したスプリング２５を用いているが、引張コイルスプリング、バネ用ステンレス鋼板、またはバネ用リン青銅板より形成された板バネ等を付勢部材として用いるようにしても良い。
【００６５】
また、本実施形態では原稿搬送路Ｒが向かって左側に開放されているが、原稿搬送路Ｒを向かって右側に開放する場合でも本実施形態と同様の効果を得ることができる。
【００６６】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００６７】
【図１】本発明に係る複写機の構成を示す図である。
【図２】本発明の原稿読取装置の構成を示す図である。
【図３】本発明の原稿読取装置の内部構成を示す図である。
【図４】原稿搬送装置の底面の構成を示す図である。
【図５】原稿押さえ部材が取り除かれた状態の原稿搬送装置の底面の構成を示す図である。
【図６】原稿押さえ部材の構成を示す図である。
【図７】原稿押さえ部材の厚みを示す図である。
【図８】原稿搬送装置の底面の構成を示す図である。
【図９】第１の実施形態における開放機構の動作を示す図である。
【図１０】第１の実施形態における開放機構の動作を示す図である。
【符号の説明】
【００６８】
１−原稿読取部
２−画像形成部
３−原稿案内部材
５−原稿マット
１０−スキャナ光学系
３０−原稿搬送装置
３１−原稿トレイ
３２−排紙トレイ
１００−複写機
【図１】
2006113496.tif 000003
【図２】
2006113496.tif 000004
【図３】
2006113496.tif 000005
【図４】
2006113496.tif 000006
【図５】
2006113496.tif 000007
【図６】
2006113496.tif 000008
【図７】
2006113496.tif 000009
【図８】
2006113496.tif 000010
【図９】
2006113496.tif 000011
【図１０】
2006113496.tif 000012